(57)【要約】【課題】端子部について、使用時における破損対策と端子周辺におけるノイズ対策の両方の対策を行う必要がある。【解決手段】端子保持部材には金属製の導電部材を備え、導電部材には端子と常に当接する当接部を備え、当接部に隣接する略直角を成す面に導電性クッションを保持する保持面を備え、保持面と導電部材固定面との間には腕部を備えており、前記当接部の幅は前記腕部の幅よりも大きい。【選択図】図１１
2020046605.tif 000002
【特許請求の範囲】
【請求項１】
端子保持部材には金属製の導電部材を備え、
導電部材には端子と当接する当接部を備え、
当接部に隣接する直角を成す面に導電性クッションを保持する保持面を備え、
保持面と導電部材固定面との間には腕部を備えており、
前記当接部の幅は前記腕部の幅よりも大きいことを特徴とする撮像装置。
【請求項２】
前記端子保持部材には第一の受け面を設けており、
前記導電部材の当接部と保持面との間には第二の受け面を設け、
外部から端子に負荷がかかった場合には、前記第一の受け面と第二の受け面が当接することを特徴とする請求項１に記載の撮像装置。
【請求項３】
前記当接部は、組み込み状態において腕部が撓むことで、端子と当接することを特徴とする請求項１又は２に記載の撮像装置。
【請求項４】
端子保持部材には、
第一の端子が実装され、ケーブルがコネクタにより接続された第一の基板と、
第二の端子が実装された第二の基板が保持され、
第一の端子と第二の端子の実装されない面は対向するように配置され、
保持部材の、第一の端子と第二の端子の間には前記ケーブルが保持される溝部が設けられ、
溝部にはケーブルが保持されることでケーブルと第二の基板は分離され、
溝部における端子の中央には溝部を支える形状が設けられ、
前記ケーブルのコネクタは斜めに配置されることで、ケーブルは前記溝部を埋める形状を避けて溝部に保持されることを特徴とする撮像装置。
【請求項５】
前記ケーブルのコネクタは、レンズの外形形状に沿うように斜めに配置されていることを特徴とする請求項４に記載の撮像装置。
【発明の詳細な説明】
【技術分野】
【０００１】
本発明は、撮像装置に関するものである。
【背景技術】
【０００２】
従来より、撮像装置等と外部機器との間で有線での通信を行う場合、ユーザーは撮像装置に備えられた端子に外部端子を接続する必要がある。通常、撮像装置側の端子は基板等に実装されており、ユーザー操作時の実装部の破損防止策を考慮する必要があった。また、撮像装置における端子の配置によっては、端子から基板へ接続される各種ケーブル類間によるお互いのノイズの影響を軽減する対策も必要となってくる。特に近年においては、通信速度の高速化に伴い信号が高速化されており、特に撮影画像の高解像度化や高フレームレート化が著しいＨＤＭＩ信号に関しては、高速化に伴うノイズの対策が必須となっている。従来例として特許文献１に開示されているように、ベース部材に端子受け部を設けた保持方法がある。
【先行技術文献】
【特許文献】
【０００３】
【特許文献１】特開２０１４−２０２８１２号公報
【発明の概要】
【発明が解決しようとする課題】
【０００４】
しかしながら、上記従来例では、各複数端子は同一の基板での配置となっており、基板が複数に分かれた場合の複数基板によるお互いのノイズの影響については考慮していない。また、高速化された信号に関してのノイズ対策についても言及していない。
【課題を解決するための手段】
【０００５】
上記の目課題を解決するために、本発明に係る第一の発明は、
端子保持部材には金属製の導電部材を備え、
導電部材には端子と当接する当接部を備え、
当接部に隣接する直角を成す面に導電性クッションを保持する保持面を備え、
保持面と導電部材固定面との間には腕部を備えており、
前記当接部の幅は前記腕部の幅よりも大きいことを特徴とする。
【０００６】
本発明に係る第二の発明は、
前記端子保持部材には第一の受け面を設けており、
前記導電部材の当接部と保持面との間には第二の受け面を設け、
外部から端子に負荷がかかった場合には、前記第一の受け面と第二の受け面が当接することを特徴とする。
【０００７】
本発明に係る第三の発明は、
前記当接部は、組み込み状態において腕部が撓むことで、端子と当接することを特徴とする。
【０００８】
本発明に係る第四の発明は、
端子保持部材には、
第一の端子が実装され、ケーブルがコネクタにより接続された第一の基板と、
第二の端子が実装された第二の基板が保持され、
第一の端子と第二の端子の実装されない面は対向するように配置され、
保持部材の、第一の端子と第二の端子の間には前記ケーブルが保持される溝部が設けられ、
溝部にはケーブルが保持されることでケーブルと第二の基板は分離され、
溝部における端子の中央には溝部を支える形状が設けられ、
前記ケーブルのコネクタは斜めに配置されることで、
ケーブルは前記溝部を埋める形状を避けて溝部に保持されることを特徴とする。
【０００９】
本発明に係る第五の発明は、
前記ケーブルのコネクタは、レンズの外形形状に沿うように斜めに配置されていることを特徴とする。
【発明の効果】
【００１０】
本発明によれば、端子周辺のノイズの影響を抑え、更に端子使用時に端子と基板間にかかる負荷の軽減を抑えることが可能となる。
【図面の簡単な説明】
【００１１】
【図１】撮像装置１の外観斜視図である。
【図２】撮像装置１の外観斜視図である。
【図３】端子カバー１０３を外した状態における撮像装置１外観斜視図である。
【図４】ユニット化された端子周辺部品の本体への取り付けを示す斜視図である。
【図５】端子ユニット１１の分解斜視図である。
【図６】図４における端子ユニット１１が本体に保持された状態の左側面図である。
【図７】図６におけるＡ−Ａ断面である。
【図８】端子保持部材９と導電プレート１０の構成を示す外観斜視図である。
【図９】導電プレート１０とＨＤＭＩ  ＯＵＴ端子６の関係を示す図である。
【図１０】撮像装置１の端子カバー１０３を外した状態の左側面図である。
【図１１】図１０のＢ−Ｂ断面図である。
【図１２】端子保持部材９にＨＤＭＩ基板１７とＨＤＭＩケーブル１８、更にフレキシブル基板１６を組み込んだ状態を示している。
【発明を実施するための形態】
【００１２】
以下、図を参照しながら、本発明を実施するための形態についての説明を行う。なお各図において、統一した座標系（Ｘ，Ｙ，Ｚ）を図示する。説明においての上下左右とは、被写体側から見た方向を示す。また、説明において不要な部品はその都度不図示としたり、省略して説明することとする。
【００１３】
＜第１の実施形態＞
図１、図２は本実施例における撮像装置１の外観斜視図である。撮像装置１では、レンズ部２ａを通して撮影された光学像が不図示のセンサに取り込まれ、メディアに記録される。本実施例においては、左側面にグリップ部１０１を配置、右側面に表示部１０５、背面にファインダ部１０６を備えており、左側面においてグリップ部１０１を避けた箇所に各種端子部を覆う端子カバー１０３、端子カバー１０４を備えている。
【００１４】
図３は、端子カバー１０３を外した状態における撮像装置１外観斜視図である。左カバー１０７には、ヘッドフォン端子３、ＭＩＣ端子４、ＵＳＢ端子５、ＨＤＭＩ（登録商標）  ＯＵＴ端子６、ＲＥＭＯＴＥ端子７、ＳＤＩ端子８の複数の端子を備えている。ユーザーは目的に応じてこれらの撮像装置側端子に外部端子を接続し、通信を行うことになる。以下、ユーザーが使用する外部側の端子を外部端子とする。特に断りのない限り、端子とは撮像装置１に備えられているものを指すこととする。
【００１５】
続いて、これらの端子周辺構造について説明する。図４は、ユニット化された端子周辺部品を示した図であり、本体への取り付けを示す斜視図である。不要な部品は不図示としている。これらのヘッドフォン端子３、ＭＩＣ端子４、ＵＳＢ端子５、ＨＤＭＩ  ＯＵＴ端子６、ＲＥＭＯＴＥ端子７は後述する基板やフレキシブル基板に実装され、端子保持部材９と金属製の板金部材である導電プレート１０に保持されて端子ユニット１１を構成している。導電プレート１０は、各基板、フレキシブル基板の電気的な導通を目的とした導電部材となっている。
【００１６】
図５は端子ユニット１１の分解斜視図である。まず端子について説明すると、ヘッドフォン端子３、ＭＩＣ端子４はＭＩＣ基板１５に実装され、ＵＳＢ端子５はフレキシブル基板１６に実装されている。同様にＨＤＭＩ  ＯＵＴ端子６、ＲＥＭＯＴＥ端子７はＨＤＭＩ基板１７に実装され、ＨＤＭＩ基板１７にはＨＤＭＩケーブル１８が不図示のコネクタにより接続されている。本実施例では、ＨＤＭＩの高速信号によるノイズの影響を軽減するため、ＨＤＭＩケーブル１８を細線同軸ケーブルとしている。また、ＳＤＩ端子８にはＳＤＩケーブル１９が接続されている。ＭＩＣ基板１５、フレキシブル基板１６、ＨＤＭＩ基板１７はそれぞれ、ビス締結により端子保持部材９と導電プレート１０に保持される。その際、ＭＩＣ基板１５、フレキシブル基板１６、ＨＤＭＩ基板１７は、導電プレート１０の固定部１０ａから伸びた各締結部１０ｂと当接するため、導電プレート１０に電気的に接続される構成となる。
【００１７】
また、ヘッドフォン端子３、ＭＩＣ端子４、ＵＳＢ端子５、ＨＤＭＩ  ＯＵＴ端子６は、それぞれ端子保持部材９に設けた凹部９ａ、凹部９ｂ、凹部９ｃ、凹部９ｄに囲われるように保持される。
【００１８】
ここで、ＨＤＭＩ  ＯＵＴ端子６のノイズの影響を抑えるために、本実施例では、ＨＤＭＩ  ＯＵＴ端子６の外殻をなす金属製の外周部６ａに、導電プレート１０に設けた、板金の端面である端子当接部１０ｃを直接当接させている。更には導電プレート１０とＨＤＭＩ  ＯＵＴ端子６との間に導電性クッション２０を挟み込むことで電気的に接続している。このように本実施例では、ＨＤＭＩ  ＯＵＴ端子６の外周部６ａと導電プレート１０との電気的な接続を、２通りの手段で行っている。ここで導電性クッション２０とは、外周上に導電部材を持つ弾性体のことである。このＨＤＭＩ  ＯＵＴ端子６と導電プレート１０の構成は後述することとする。
【００１９】
次に、端子部が受ける負荷について説明する。前述の端子について、ユーザーは目的に応じて外部端子を挿抜することになるが、端子にはユーザーが外部端子を挿抜する際の負荷や、接続している際の意図しない負荷がかかることになる。そのため、これらの負荷に対しての対応策が必要となってくる。特に端子と基板の実装方向（端子が基板から剥がれる方向）の負荷に関しては十分な対策が必要である。本実施例では、前述の凹部９ａ、凹部９ｂ、凹部９ｃ、凹部９ｄの壁が外部端子挿抜時の端子受け面となっており、特に必要となる端子と基板の実装方向の受け面としては、ヘッドフォン端子３、ＭＩＣ端子４に対しては受け面９ｅ、受け面９ｆ、ＵＳＢ端子５に対しては受け面９ｇを設けている。実際には各凹部の壁に対しリブ形状の当て面を設定しているが、本アイデアの本質には影響がないので説明を省略する。ここで、ＨＤＭＩ  ＯＵＴ端子６については、本実施例では前述のとおり導電プレート１０に設けた端子当接部１０ｃがＨＤＭＩ  ＯＵＴ端子６の外周部６ａに当接しており、この端子当接部１０ｃが端子受け面として対応している。
【００２０】
このように本実施例では、導電プレート１０の端子当接部１０ｃはＨＤＭＩ  ＯＵＴ端子６の外周部６ａに直接当接することで電気的な導通を得ることと、負荷に対する受け面の両方を兼ねた構造となっている。
【００２１】
続いて、ＨＤＭＩ  ＯＵＴ端子６とレンズユニット２との位置関係について説明する。図６は図４における端子ユニット１１が本体に保持された状態の左側面図である。更に図７は図６におけるＡ−Ａ断面において、ＨＤＭＩ基板１７とレンズユニット２を説明し、不要な部品は不図示とした図である。図７に示すように、ＨＤＭＩケーブル１８はコネクタ１８ｂによりＨＤＭＩ基板１７に接続されている。このコネクタ１８ｂは、円形であるレンズユニット２の空いたスペースを利用して、やや斜めに傾けた状態で配置している。この斜めの配置により、図中Ｘ方向の小型化が可能となっている。
【００２２】
続いて、端子保持部材９と導電プレート１０の構成について説明する。図８は端子保持部材９と導電プレート１０の構成を示す外観斜視図である。導電プレート１０には、前述のとおりＨＤＭＩ  ＯＵＴ端子６に当接する端子当接部１０ｃ、導電性クッション２０を保持する面を持つ保持面１０ｄが備えられ、腕部１０ｅにより固定部１０ａに繋がっている。この端子当接部１０ｃと保持面１０ｄは略直角となる構成としている。腕部１０ｅの幅Ｌ３は端子当接部１０ｃの幅Ｌ２に対し、幅Ｌ３＜幅Ｌ２の関係としており、そのため端子当接部１０ｃは剛性が高く、腕部１０ｅは剛性が低く弾性を保つ構造となっている。なお、導電性クッション２０は不図示の両面テープにより、保持面１０ｄに固定されている。また、端子保持部材９の凹部９ｄには第一の受け面９ｈを備えている。
【００２３】
図９は、導電プレート１０とＨＤＭＩ  ＯＵＴ端子６の関係を示す図である。前述のように、電気的な接続と受け面を目的として導電プレート１０の端子当接部１０ｃは、ＨＤＭＩ  ＯＵＴ端子６の外周部６ａに設けた当接面６ｃに当接することになる。また、不図示であるが導電性クッション２０は導電プレート１０の保持面１０ｄとＨＤＭＩ  ＯＵＴ端子６の外周部６ａの間に挟み込まれている。
【００２４】
ここでＨＤＭＩ  ＯＵＴ端子６の外周部６ａに設けた当接面について説明すると、図７に示すように、ＨＤＭＩ  ＯＵＴ端子６の外周部６ａには外部端子差し込みにより動くばね部６ｂが備えられている。このばね部６ｂとＨＤＭＩ  ＯＵＴ端子６の後端部との間である幅Ｌ１部をＨＤＭＩ  ＯＵＴ端子６の当接面６ｃとしている。同様に、２つのばね部６ｂ間となる幅Ｌ４の間を当接面６ｄとする。この当接面６ｃには導電プレート１０の端子当接部１０ｃが当接し、当接面６ｄには導電性クッション２０が当接する構成としている。
【００２５】
本実施例では、当接面６ｃには導電プレート１０の端面である端子当接部１０ｃが当接する構造としているため、ＨＤＭＩ  ＯＵＴ端子６のように幅Ｌ１が狭い構造でも導電プレート１０の板厚分のスペースで当接することが可能となっている。
【００２６】
また図９において、前述のように本実施例では導電プレート１０の端子当接部１０ｃとＨＤＭＩ  ＯＵＴ端子６の当接面６ｃが確実に接触するように、端子当接部１０ｃが当接面６ｃに組み込み時に干渉（チャージ）するような構成としている。また同様に不図示の導電性クッション２０も、保持面１０ｄとＨＤＭＩ  ＯＵＴ端子６の当接面６ｃ間距離よりも大きい厚みとすることで、導電性クッション２０が変形し、確実に導通が得られることになる。なお、端子当接部１０ｃと保持面１０ｄとの間の曲げ部を第二の受け面１０ｆとする。
【００２７】
図１０は撮像装置１の端子カバー１０３を外した状態の左側面図であり、図１１は図１０のＢ−Ｂ断面図におけるＵＳＢ端子５、ＨＤＭＩ  ＯＵＴ端子６周辺の拡大図である。導電プレート１０の端子当接部１０ｃは、ＨＤＭＩ  ＯＵＴ端子６の当接面６ｃと当接し、−Ｚ方向に撓んだ状態を表しており、通常の使用状態を示している。同様に導電性クッション２０も圧縮され変形している。
【００２８】
この時、導電プレート１０の第二の受け面１０ｆと端子保持部材９の第一の受け面９ｈ間には、幅Ｌ５の隙間を設けている。
【００２９】
ＨＤＭＩ  ＯＵＴ端子６にＨＤＭＩ基板１７と離れる方向（−Ｚ方向）の負荷がかかった際は第二の受け面１０ｆが第一の受け面９ｈと当接することで、ＨＤＭＩ  ＯＵＴ端子６がＨＤＭＩ基板１７から離れる方向にかかる負荷を減少させることが可能となっている。この時、端子当接部１０ｃはできるだけ変形しないことが必要で、そのためできるだけ剛性が高いことが望ましい。また通常使用時には、端子当接部１０ｃによりＨＤＭＩ  ＯＵＴ端子６の当接面６ｃにはチャージによる負荷がかかっているため、ＨＤＭＩ  ＯＵＴ端子６の変形防止のためにもできるだけ少ない負荷で接触することが望ましい。ここで前述のように、端子当接部１０ｃは剛性が高く、腕部１０ｅは剛性が低く弾性を保つ構造となっている。このため、通常使用時の端子当接部１０ｃによる当接面６ｃへの負荷は小さくすることが可能となり、また外部端子挿抜時によるＨＤＭＩ  ＯＵＴ端子６とＨＤＭＩ基板１７接合面へかかる負荷は極力少なくすることも可能となっている。
【００３０】
また前述のように、ＨＤＭＩ  ＯＵＴ端子６の外周部６ａと導電プレート１０の電気的な導通は、導電プレート１０の端子当接部１０ｃによるものと、導電性クッション２０によるものの２通りの方法で得られている。この導通に関して、外部からの負荷による影響について説明する。外部端子によりＨＤＭＩ  ＯＵＴ端子６に過度の負荷がかかった際や、撮像装置１が落下した際の衝撃により、導電プレート１０の端子当接部１０ｃや保持面１０ｄは塑性変形する可能性がある。塑性変形することで、ＨＤＭＩ  ＯＵＴ端子６の外周部６ａと端子当接部１０ｃが非当接状態となり、導通が確保できない場合がある。しかしそのような場合でも本実施例では、衝撃や負荷に強い導電性クッション２０からも導通を得ることができる構成としているため、ノイズの抑制に対しての影響を少なくすることが可能となっている。
【００３１】
続いて、端子ユニット１１における、ＨＤＭＩケーブル１８とフレキシブル基板１６の構成について説明する。図１２は、端子保持部材９にＨＤＭＩ基板１７とＨＤＭＩケーブル１８、更にフレキシブル基板１６を組み込んだ状態を示している。図１２において、ＨＤＭＩ基板１７に接続されたＨＤＭＩケーブル１８は、端子保持部材９における図中破線で示しているＵＳＢ端子５とＨＤＭＩ  ＯＵＴ端子６の間に設けた溝部９ｋを通り、図中−Ｘ側に寄せた状態で組み込まれている。この時、爪形状９ｍ、爪形状９ｎにより浮き上がりを抑えている。フレキシブル基板１６は、ＨＤＭＩケーブル１８に対し＋Ｘ側に取り付けられている。この溝部９ｋを用いてＨＤＭＩケーブル１８とフレキシブル基板１６を図中Ｘ方向で分けて配置することで、両者が接触することを防ぎ、お互いのノイズによる影響を軽減することが可能となっている。
【００３２】
ところで、前述のように、ＵＳＢ端子５とＨＤＭＩ  ＯＵＴ端子６には、外部端子挿抜時の負荷対策として、図１１に示すように、ＵＳＢ端子５には受け面９ｇ、ＨＤＭＩ  ＯＵＴ端子６には第一の受け面９ｈを設けている。この受け面９ｇと第一の受け面９ｈの間に溝部９ｋを設けているため、受け面９ｇと第一の受け面９ｈは撓みやすい構成となり、外部端子による負荷がかかった際の受け面としての効果は減少する。そのため本実施例では、リブ９ｐを設けることで、受け面９ｇと第一の受け面９ｈに対する変形防止策としている。このリブ９ｐは図１２に示すように、受け面の撓み防止の観点からＵＳＢ端子５とＨＤＭＩ  ＯＵＴ端子６のＹ方向における略中央に配置している。なお、本実施例ではリブ形状としたが、強度の観点からはその限りではなく、溝部９ｋを支えるような形状であればよい。ところで、図７に示すように、本実施例ではコネクタ１８ｂを、小型化の観点からやや斜めに傾けた状態で配置している。このため、ＨＤＭＩケーブル１８を−Ｙ方向側へ斜めに引き出すことが可能となっており、図１２に示すように、リブ９ｐを回避するように引出してから溝部９ｋの−Ｘ方向へ寄せることが可能となっている。
【００３３】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【符号の説明】
【００３４】
１  撮像装置、２０  導電性クッション
【図１】
2020046605.tif 000003
【図２】
2020046605.tif 000004
【図３】
2020046605.tif 000005
【図４】
2020046605.tif 000006
【図５】
2020046605.tif 000007
【図６】
2020046605.tif 000008
【図７】
2020046605.tif 000009
【図８】
2020046605.tif 000010
【図９】
2020046605.tif 000011
【図１０】
2020046605.tif 000012
【図１１】
2020046605.tif 000013
【図１２】
2020046605.tif 000014